(57)【要約】【課題】神経線維束に応じる機能領域の機能性分類を簡便に取得することができる医用画像処理装置及び医用画像処理方法を提供すること。【解決手段】実施形態の医用画像処理装置は、抽出部と、第一転写部と、解析部と、第二転写部とを備える。抽出部は、被検体データから神経分布の位置情報を抽出する。第一転写部は、抽出された位置情報に基づく被検体神経領域を、アトラスデータへ転写する。解析部は、前記アトラスデータにおける脳内の機能領域と、転写された前記被検体神経領域との位置関係を解析する。第二転写部は、前記解析部による解析結果を前記被検体データへ転写する。【選択図】図１
2018069022.tif 000002
【特許請求の範囲】
【請求項１】
被検体データから神経分布の位置情報を抽出する抽出部と、
抽出された位置情報に基づく被検体神経領域を、アトラスデータへ転写する第一転写部と、
前記アトラスデータにおける脳内の機能領域と、転写された前記被検体神経領域との位置関係を解析する解析部と、
前記解析部による解析結果を前記被検体データへ転写する第二転写部と、
を備える、医用画像処理装置。
【請求項２】
損傷指標を算出して表示する指標表示部を更に備え、
前記解析部は、解析結果として、転写された前記被検体神経領域に応じる前記機能領域を取得し、前記アトラスデータに定義されている前記機能領域と神経領域との対応関係に基づいて、取得した前記機能領域に対応付けられる前記神経領域を取得し、
前記指標表示部は、転写された前記被検体神経領域と、取得された前記神経領域とを比較することで、前記損傷指標を算出して表示する、請求項１に記載の医用画像処理装置。
【請求項３】
前記損傷指標は、前記被検体神経領域の統計情報を含み、前記統計情報は、神経領域の使用率である、請求項２に記載の医用画像処理装置。
【請求項４】
前記抽出部は、患部の位置情報を抽出し、
前記第一転写部は、抽出された患部の位置情報に基づく患部領域を前記アトラスデータへ転写し、
前記解析部は、前記アトラスデータにおける機能領域と、前記アトラスデータにおける神経領域と、転写された前記患部領域との位置関係を解析する、請求項１に記載の医用画像処理装置。
【請求項５】
前記解析部は、前記神経領域と、転写された前記患部領域との位置関係に基づいて、前記患部領域による影響を受けた前記神経領域を検出し、前記アトラスデータに定義されている前記機能領域と前記神経領域との対応関係に基づいて、解析結果として、検出した前記神経領域に対応付けられる前記機能領域を取得する、請求項４に記載の医用画像処理装置。
【請求項６】
表示処理部をさらに備え、
前記解析部は、取得した前記機能領域に基づいて、前記患部領域による影響を受けた前記被検体神経領域を検出し、
前記表示処理部は、前記解析部が検出した前記被検体神経領域を表示する、請求項５に記載の医用画像処理装置。
【請求項７】
前記表示処理部は、前記患部領域による影響を受けた前記被検体神経領域が強調された画像を表示する、請求項６に記載の医用画像処理装置。
【請求項８】
前記アトラスデータにおいては、１つの神経領域と複数の機能領域とが対応付けられ、
前記解析部は、前記複数の機能領域の少なくとも１つが前記患部領域内に位置する場合、前記複数の機能領域のうち前記患部領域内に位置する内部機能領域を除く外部機能領域を通過する前記被検体神経領域を第１の神経領域として検出し、前記外部機能領域を通過し且つ前記内部機能領域を通過しない前記神経領域を第２の神経領域として検出し、前記第１の神経領域から前記第２の神経領域に相当する前記被検体神経領域を除くことで、前記患部領域による影響を受けた前記被検体神経領域を検出する、請求項６に記載の医用画像処理装置。
【請求項９】
前記解析部が検出した前記被検体神経領域と、前記患部領域による影響を受けた前記神経領域とを比較することで、前記患部領域による損傷指標を算出して表示する指標表示部を更に備えた、請求項６乃至８のいずれか一項に記載の医用画像処理装置。
【請求項１０】
前記損傷指標は、前記被検体神経領域の統計情報を含み、前記統計情報は、神経領域の押出率、貫通率、浸潤率、破壊率及び使用率の少なくとも１つである、請求項９に記載の医用画像処理装置。
【請求項１１】
指標表示部をさらに備え、
前記抽出部は、前記被検体データから脳内の機能領域の位置情報を抽出し、
前記第一転写部は、抽出された位置情報に基づく被検体機能領域を前記アトラスデータへ転写し、
前記指標表示部は、前記解析部が取得した前記機能領域と、転写された前記被検体機能領域とを比較することで、前記患部領域による損傷指標を算出して表示する、請求項５に記載の医用画像処理装置。
【請求項１２】
前記損傷指標は、前記アトラスデータにおける機能領域に対する前記被検体機能領域の減少率である、請求項１１に記載の医用画像処理装置。
【請求項１３】
前記解析部は、検出した前記神経領域に対応付けられる機能領域に基づいて、前記患部領域による影響を受けた前記被検体神経領域を検出し、
前記指標表示部は、検出された前記被検体神経領域と、前記患部領域による影響を受けた前記神経領域とを比較することで、前記患部領域による損傷指標を算出して表示する、請求項１１又は１２に記載の医用画像処理装置。
【請求項１４】
前記損傷指標は、前記被検体神経領域の統計情報を含み、前記統計情報は、神経領域の押出率、貫通率、浸潤率、破壊率及び使用率の少なくとも１つである、請求項１３に記載の医用画像処理装置。
【請求項１５】
前記神経領域は、神経線維束に応じる領域であり、
前記機能領域は、脳機能に応じる領域又は脳内の組織構造に応じる領域である、請求項２に記載の医用画像処理装置。
【請求項１６】
被検体データから神経分布の位置情報を抽出する抽出ステップと、
抽出した位置情報に基づく被検体神経領域を、アトラスデータへ転写する第一転写ステップと、
前記アトラスデータにおける脳内の機能領域と、転写した前記被検体神経領域との位置関係を解析する解析ステップと、
前記解析ステップによる解析結果を前記被検体データへ転写する第二転写ステップと、  を備える、医用画像処理方法。
【発明の詳細な説明】
【技術分野】
【０００１】
本発明の実施形態は、医用画像処理装置及び医用画像処理方法に関する。
【背景技術】
【０００２】
近年、画像認識技術の発展に伴い、医用画像に撮像された神経線維束と患部との位置関係を分析する技術が注目されている。
【０００３】
多くの脳疾患は白質線維の変形に影響し、例えば、切断（blocked）、浸潤（infiltration）または押出（extrusion）などの変形を発生させる場合がある。それらの変化を知ることで、神経外科手術に有用な情報を提供することが可能になる。特に、浸潤の場合、その切除範囲は、予後に密接に関わる。実際に、侵襲性の高い病変は形態を大きく変え、浸潤された白質線維の機能を損傷させることがある一方、侵襲性の低い腫瘍は周囲の脳組織を押出するだけで済む場合もある。それらの異なる状況は、手術方針の制定に影響を及ぼす。そのため、異なる機能を有する白質線維と患部との位置関係を正確に判断することにより、組織の切除程度と脳機能のできる限りの維持との折り合いをつける最適な方案を発見することに寄与する。
【０００４】
医師は腫瘍外科手術を計画する際に、関係する神経線維束の機能を区分する必要がある。神経線維束の追跡は、この点についての情報を提供することができる。
【０００５】
従来の技術には、神経線維束の機能を区分する方法が開示されている。例えば、特許文献１においては、まず、患部を貫通した神経線維束を判断した後、患部を貫通した神経線維束の脳領域における到達点を特定し、大脳皮質の機能領域テンプレートを利用して、神経線維束の到達点と連結関係のある大脳皮質の機能領域を判断することで、被検体に及ぼす可能性のある影響を予測することが開示されている。
【０００６】
しかし、この分析方法は、患部を貫通した影響を受けた線維束の検出にしか用いることができず、押出されたが患部を貫通していない影響を受けた線維束を検出することはできない。また、この分析方法を用いると、線維束と大脳皮質分区との連結関係を示し影響を受けた線維束の機能分類を予測することしかできず、影響を受けた線維束の実際の形態及び位置を抽出して表示することは不可能である。
【０００７】
また、従来の文献２においては、神経線維束追跡部により抽出された神経線維束の集合と、神経線維束の関心領域（ＲＯＩ（Region  of  Interest）、シード領域という場合もある）に基づいて選択された神経線維束の集合との間で論理演算を行うことで、特定の神経線維束の集合を確定する、神経線維束の抽出方法が開示されている。この集合は、ある関心領域を貫通した、異方性上に所定の閾値を超えた線維束の集合であるが、これらの線維束の集合には、位置的な相関性しかなく、機能的な相関性がないので、線維束を抽出しながら線維束の機能性分類を知ることはできない。
【０００８】
また、従来の技術では、通常、血液酸素レベル依存機能の磁気共鳴イメージング（ＢＯＬＤ−ｆＭＲＩ）の結果を用いて関心領域を取得し、それにより線維束を追跡する。そのうち、血液酸素レベル依存機能の磁気共鳴イメージングの結果を取得する必要があるだけではなく、実際の操作において、品質の高い血液酸素レベル依存機能の磁気共鳴イメージングの結果を取得することは容易ではない。
【先行技術文献】
【特許文献】
【０００９】
【特許文献１】特開２０１２−２３５９３４号公報
【特許文献２】特開２０１２−６６００５号公報
【発明の概要】
【発明が解決しようとする課題】
【００１０】
本発明が解決しようとする課題は、神経線維束に応じる機能領域の機能性分類を簡便に取得することができる医用画像処理装置及び医用画像処理方法を提供することである。
【課題を解決するための手段】
【００１１】
実施形態の医用画像処理装置は、抽出部と、第一転写部と、解析部と、第二転写部とを備える。抽出部は、被検体データから神経分布の位置情報を抽出する。第一転写部は、抽出された位置情報に基づく被検体神経領域を、アトラスデータへ転写する。解析部は、前記アトラスデータにおける脳内の機能領域と、転写された前記被検体神経領域との位置関係を解析する。第二転写部は、前記解析部による解析結果を前記被検体データへ転写する。
【図面の簡単な説明】
【００１２】
【図１】図１は、第１の実施形態に係る医用画像処理装置の構成を示すブロック図である。
【図２】図２は、線維束アトラスに含まれた機能性線維束を示す図である。
【図３】図３は、線維束アトラスにおける脳梁線維束と関心領域との対応関係を示す模式図である。
【図４】図４は、線維束アトラスにおける皮質脊髄路と関心領域との対応関係を示す模式図である。
【図５】図５は、第１の実施形態に係る画像処理ステップを示すフローチャートである。
【図６】図６は、第１の実施形態に係る画像処理を示す模式図である。
【図７】図７は、第２の実施形態に係る医用画像処理装置の構成を示すブロック図である。
【図８】図８は、第２の実施形態に係る画像処理ステップを示すフローチャートである。
【図９】図９は、第２の実施形態に係る画像処理を示す模式図である。
【図１０】図１０は、第３の実施形態に係る患部で線維束が押出された場合に影響を受けた線維束を特定する模式図である。
【図１１】図１１は、第３の実施形態に係る画像処理ステップを示すフローチャートである。
【図１２】図１２は、第４の実施形態に係る医用画像処理装置の構成を示すブロック図である。
【図１３】図１３は、第４の実施形態に係る機能性線維束の損傷指標を分析する模式図である。
【図１４】図１４は、第４の実施形態に係る画像処理ステップを示すフローチャートである。
【図１５】図１５は、損傷指標と被検体データとを同時に表示した画面の模式図である。
【発明を実施するための形態】
【００１３】
実施形態は、医用画像を処理する医用画像処理装置に関する。この医用画像処理装置は、Ｘ線装置などの画像収集装置に接続され独立したコンピュータなどのＣＰＵ（Central  Process  Unit）を有する設備で、医用画像処理装置の各機能を有するソフトウェアを実行することにより実現してもよいし、また、医用画像処理装置の各機能を実行可能な回路として、ハードウェアの形態により実現してもよい。且つ、実施形態に係る医用画像処理装置は、ＣＴ装置または超音波装置などの医用画像収集装置における一部として、上述した医用画像収集装置に予め組み込まれてもよい。
【００１４】
以下、好適な実施形態について図面を参照して詳しく説明する。実施形態は例示に過ぎず、実施形態で表されている構成に限られない。
【００１５】
以下では脳領域を例に説明するが、実施形態は脳領域に限らず、更に、他の領域に対する画像処理にも適用できる。
【００１６】
（第１の実施形態）
図１は、第１の実施形態に係る医用画像処理装置の構成を示すブロック図である。
【００１７】
図１に示すように、医用画像処理装置１００は、抽出部１０１と、第一転写部１０２と、解析部１０３と、第二転写部１０４と、表示処理部１０５と、指標表示部１０６とを備える。
【００１８】
抽出部１０１は、被検体データから神経分布の位置情報を抽出する。被検体データには、線維束画像が含まれる。線維束画像は、被検体の脳の神経線維束に関する神経線維画像である。線維束画像は、例えば、被検体の脳を撮像し生成した拡散テンソル画像に線維束追跡技術を施し生成したものである。拡散テンソルイメージング技術では、水分子の拡散特性についてイメージングを行うことにより、白質線維束の完全性を評価することが可能になる。現在、拡散テンソルイメージング技術及び線維束追跡技術は生体内の特定線維束の表示に用いられている。
【００１９】
第一転写部１０２は、被検体データにおける線維束画像を予め定義された線維束アトラスへ転写することができる。即ち、第一転写部１０２は、線維束画像から抽出された神経分布の位置情報に基づく被検体神経領域を、線維束アトラス（アトラスデータ）へ転写する。
【００２０】
線維束アトラスに予め定義された情報には、標準化された神経領域の情報と、各神経領域のそれぞれに対応付けられた機能領域の情報が含まれる。そのうち、神経領域は、神経線維束に応じる領域であり、機能領域は、関心領域といってもよいし、脳機能に応じる領域（例えば、大脳皮質上の視覚機能領域、運動機能領域など）、又は、脳内の組織構造（例えば、内包、大脳脚など）に応じる領域である。機能領域は、機器の操作者によって手動的に選択されてもよいし、機器によって自動的に選択されてもよい。線維束アトラスにおける神経領域と機能領域との対応関係については、後述する。
【００２１】
本実施形態における神経線維束は、線維束の機能性分類でマークした線維束、即ち、機能性線維束である。図２は、線維束アトラスに予め定義された機能性線維束を示す模式図である。図２では、左右の脳半球を連結する脳梁（corpus  callosum：ＣＣ）線維束、運動皮質と脊髄とを連結する皮質脊髄路（cortico  spinal  tract：ＣＳＴ）、運動皮質と脊髄とを連結する上縦束（superior  longitudinal  fasciculus：ＳＬＦ）、海馬と視床下核とを連結する脳弓（fornix：ＦＯＲＸ）、下縦束（inferior  longitudinal  fasciculus：ＩＬＦ）、海馬傍回（parahippocampal  cingulum：ＰＨＣ）、鉤状束（uncinate  fasciculus：ＵＮＣ）、下後頭前頭束（inferior  occipitofrontal  fasciculus：ＩＯＦＦ又はＩＦＯＦ）などを含む機能性線維束が示されている。
【００２２】
また、線維束アトラスは、第一転写部１０２による転写の開始前に作成を完了させる必要がある。この線維束アトラスは予め定義し抽出部１０１に記憶されたアトラスであってもよいし、第一転写部１０２による転写の開始前に医用画像処理装置に導入されたアトラス、或いは、実施形態に係る医用画像処理装置により生成されたアトラスであってもよい。
【００２３】
また、第一転写部１０２は被検体からの線維束画像を線維束アトラスへ転写する過程において、被検体からの線維束画像について、通常、画像レジストレーション（Image  registration、以下、「レジストレーション」と略称する）の方式により線維束アトラスへ転写するものである。具体的には、従来のレジストレーション方法を用いて、被検体からの線維束画像及び線維束アトラスにおける画像について画像レジストレーションを行い、画像レジストレーションの結果として、被検体の線維束画像と線維束アトラスとの転写マトリックスを生成し、この転写マトリックスに基づいて被検体の線維束画像の一部又は全部を予め定義された線維束アトラスへ転写することになる。
【００２４】
解析部１０３は、線維束アトラスにおける脳内の機能領域と、線維束アトラスへ転写された被検体神経線維束（即ち、転写された被検体神経領域）との位置関係を解析する。
【００２５】
具体的には、転写マトリックスに基づいて線維束アトラスへ転写された被検体の各機能性線維束を特定（認識）し、その後、線維束アトラスに定義された機能性線維束と関心領域との対応関係に基づいて、解析結果として、特定された被検体の機能性線維束に対応付けられた関心領域を取得することになる。
【００２６】
第二転写部１０４は、解析部１０３による解析結果を被検体データへ転写する。例えば、第二転写部１０４は、解析部１０３により取得された関心領域を被検体データへ転写する。詳しくは、その前に生成された転写マトリックスを利用して、解析部１０３により取得された関心領域を被検体データの画像へ転写することになる。
【００２７】
表示処理部１０５は、被検体の線維束画像と各線維束に応じる関心領域とを表示装置（例えば、ディスプレイなど）に同時表示させる。且つ、異なる機能性線維束に応じる関心領域を異なる色又は異なるグレイスケールで表すことが好ましく、これにより、操作者が関心領域の機能区画をより直感的に把握することが可能になる。
【００２８】
また、表示処理部１０５は更に、各機能性線維束に応じる関心領域に基づいて、線維束追跡技術を用いて、被検体データから各種の機能性線維束を区分することができる。被検体の線維束画像を表示する際に、異なる機能性線維束及びそれに応じる関心領域を異なる色又は異なるグレイスケールで表すことが好ましく、これにより、操作者が各線維束の機能区画をより直感的に把握することが可能になる。
【００２９】
しかし、医用画像処理装置１００の場合、表示処理部１０５は不可欠なものではない。表示処理部１０５は医用画像処理装置１００以外の他の外部装置に設けてもよい。ひいては、表示することなく、他の方式により医用画像処理装置１００による処理結果を出力する可能性もある。
【００３０】
以下、線維束アトラスにおける神経領域と機能領域との対応関係について図３及び図４を参照して説明する。
【００３１】
図３は、線維束アトラスにおける脳梁線維束と関心領域との対応関係を示す模式図である。図３の左上部で、アトラス（ａｔｌａｓ）に予め定義された複数の機能性線維束が示されている。図３の左下部で、特定の解剖学的位置上にある、脳梁線維束に応じる３つの関心領域が示されている。図３の右部で、脳梁線維束と３つの関心領域とを同時表示した形態が示されている。図３において、脳梁を特定するための関心領域が３つあり、この３つの関心領域間では「ＯＲ」の論理関係であり、即ち、この３つの関心領域のいずれかを貫通した線維束が脳梁線維束として特定される。
【００３２】
図４は、皮質脊髄路と関心領域との対応関係を示す模式図である。図中では、皮質脊髄路及びこの皮質脊髄路を特定するための４つの関心領域が示されている。図中に示すように、この皮質脊髄路は全て関心領域１（中心後回）及び関心領域２（内包後脚）を貫通するが、関心領域３、４では、皮質脊髄路が２束に分けられ、それぞれ関心領域３（前脳橋）及び関心領域４（後脳橋）を貫通する。そのため、皮質脊髄路を特定するためのいくつかの関心領域間の論理関係が「ＳＤ１＆ＳＤ２＆（ＳＤ３ｏｒＳＤ４）」になる（ＳＤは関心領域を表す）。言い換えると、ＳＤ１及びＳＤ２を貫通し、ＳＤ３又はＳＤ４を貫通する機能性線維束を、皮質脊髄路として特定することができる。なお、図４における患部は、例えば、腫瘍などである。
【００３３】
図３、図４では、脳梁線維束及び皮質脊髄路の各関心領域を特定する方法及び各関心領域間の論理関係について示されているが、脳梁線維束、皮質脊髄路に加えて、脳には更に他の機能性線維束が存在しており、それらの機能性線維束を唯一に特定するための関心領域及び各関心領域間の論理関係が繊維束アトラスにそれぞれ定義される。各機能性線維束の関心領域の数、及び、各関心領域間に存在している論理関係は異なるものである。
【００３４】
次に、第１の実施形態に係る画像処理過程を図５及び図６を参照して説明する。図５は、第１の実施形態に係る画像処理ステップを示すフローチャートである。図６は、第１の実施形態に係る画像処理を示す模式図である。
【００３５】
実際の被検体データには、複数の被検体線維束が含まれるが、説明を簡素化するために、図６では１つの神経線維束に対する画像処理過程のみを例示的に示している。また、実際の画像処理は三次元の画像に対する処理であってもよいが、説明を簡素化するために、二次元の平面画像のみにより説明を行う。
【００３６】
まず、ステップＳ１０１では、抽出部１０１が被検体データから被検体線維束Ｘ１の位置情報を抽出する。位置情報は三次元の神経線維束における複数ポイントの座標情報からなり、ポイントの密度及び数が操縦者によって必要に応じて予め設定されてもよい。図６の左上部で、位置情報が抽出された被検体線維束Ｘ１が示されており、この被検体線維束Ｘ１は８本の神経線維からなる。
【００３７】
被検体データは図示しない記憶部又は外部記憶装置に予め記憶されてもよいし、医用画像撮像装置によって被検体の脳を撮像し、線維束追跡技術及び医用画像診断技術などにより被検体の脳の神経線維束に関する線維束画像を含む被検体データを取得したものであってもよい。
【００３８】
次に、ステップＳ１０２では、第一転写部１０２が抽出された位置情報に基づく被検体線維束Ｘ１を線維束アトラス（アトラスデータ）へ転写する。
【００３９】
転写の前は、図６の右側にある線維束アトラスには、線維束Ｘ１’が含まれ、この線維束Ｘ１’に応じる関心領域Ａ及び関心領域Ｂが更に含まれている。線維束Ｘ１’は関心領域Ａと関心領域Ｂとの間で連結された１０本の神経線維からなる。
【００４０】
線維束アトラスの生成（即ち、関心領域の特定、複数の関心領域間の論理関係の特定、機能性線維束の特定）については、第一転写部１０２による転写前に完了すればよいので、ステップＳ１０１の前にしてもよいし、後にしてもよい。勿論、線維束アトラスのテンプレートを予め生成した後、図示しない記憶部又は外部記憶装置に記憶し、使用する度にこのテンプレートを適用するのであってもよい。
【００４１】
また、ステップＳ１０２では、レジストレーションによる転写マトリックスを用いて被検体からの被検体線維束Ｘ１を線維束アトラスへ転写する。図６において、線維束アトラスに予め定義された線維束Ｘ１’が実線で表され、線維束アトラスへ転写された被検体線維束Ｘ１が点線で表されている。
【００４２】
そして、ステップＳ１０３では、解析部１０３が線維束アトラスにおける関心領域Ａ及び関心領域Ｂと線維束アトラスへ転写された被検体線維束Ｘ１との位置関係を解析する。線維束アトラスには、線維束Ｘ１’と関心領域Ａ及び関心領域Ｂとの対応関係が予め定義され、即ち、線維束Ｘ１’は関心領域Ａと関心領域Ｂとの間で連結された線維束である。よって、解析結果として、被検体線維束Ｘ１に応じる関心領域Ａ及び関心領域Ｂが取得される。
【００４３】
また、ステップＳ１０４では、第二転写部１０４が解析部１０３による解析結果を被検体データへ転写する。即ち、図６の左下部で示すように、被検体線維束Ｘ１に応じる関心領域Ａ及び関心領域Ｂが被検体データへ転写される。
【００４４】
更に、ステップＳ１０５では、表示処理部１０５が関心領域Ａ及び関心領域Ｂを含む被検体データを表示する。勿論、医用画像処理のみを施す医用画像処理装置について、表示に関するステップＳ１０５を省略しても構わない。
【００４５】
処理が終了する。
【００４６】
第１の実施形態に係る画像処理によれば、血液酸素レベル依存機能の磁気共鳴イメージングの結果を使用することなく、線維束アトラスから被検体線維束に応じる関心領域を取得することができる。且つ、線維束アトラスにおける関心領域は予め定義された標準化データであり、実際の操作において取得し難い品質の高い血液酸素レベル依存機能の磁気共鳴イメージングの結果の場合に比べて、本実施形態により取得する関心領域の信頼性は高い。
【００４７】
また、第１の実施形態における第一転写部１０２は、被検体データにおける線維束画像を予め定義された線維束アトラスへ転写することなく、画像レジストレーションのみを実行してもよい。それは、被検体データにおける線維束画像を予め定義された線維束アトラスへ転写しなくても、画像レジストレーションによる転写マトリックスを用いて線維束アトラスにおける各機能性線維束に応じる被検体の各機能性線維束を特定（認識）することができるためである。
【００４８】
また、第１の実施形態における指標表示部１０６は、被検体データにおける被検体線維束（被検体神経領域）について、腫瘍等の患部による損傷指標を算出して表示する。以下、この点について、図６を用いて説明する。
【００４９】
例えば、第一転写部１０２が、被検体データにおける被検体神経領域を線維束アトラスへ転写した後、解析部１０３が線維束アトラスにおける関心領域と、線維束アトラスへ転写された被検体神経領域との位置関係を解析する。例えば、解析部１０３は、図６の右図に示すように、線維束アトラスにおける関心領域Ａや関心領域Ｂと、転写された被検体線維束Ｘ１との位置関係を解析することで、解析結果として、転写された被検体線維束Ｘ１に応じる関心領域Ａ及び関心領域Ｂを取得する。更に、解析部１０３は、線維束アトラスに定義された関心領域と神経領域との対応関係に基づいて、取得した機能領域に対応付けられる神経領域を取得する。例えば、解析部１０３は、被検体線維束Ｘ１との位置関係に基づいて取得した関心領域Ａ及び関心領域Ｂに対応付けられた神経領域として、線維束Ｘ１’を取得する。
【００５０】
そして、指標表示部１０６は、線維束アトラスへ転写された被検体神経領域と、解析部１０３が取得した神経領域とを比較することで、損傷指標を算出する。例えば、指標表示部１０６は、線維束アトラスへ転写された被検体線維束Ｘ１と、解析部１０３が取得した線維束Ｘ１’とを比較することで、損傷指標として、被検体神経領域の統計情報を算出する。
【００５１】
ここで、指標表示部１０６が算出する統計情報としては、例えば、関心領域に関する機能性線維束のうち手術の前に使用可能な機能性線維束（例えば、被検体データを取得した時点で使用可能な機能性線維束）が占める比率を表す使用率（Functional  Rate）が挙げられる。一例を挙げると、図６に示すアトラスデータにおいて、関心領域Ａ及び関心領域Ｂに関する線維束Ｘ１’は１０本の神経線維からなり、手術の前に使用可能な被検体線維束Ｘ１は８本の神経線維からなるため、指標表示部１０６は、被検体神経領域の統計情報として、使用率「８０％（８／１０）」を算出し、表示することができる。
【００５２】
（第２の実施形態）
第２の実施形態は第１の実施形態の変形例である。第１の実施形態に対する第２の実施形態の相違点は、医用画像処理装置２００はさらに被検体データにおける腫瘍画像を処理することで、腫瘍による影響を受けた被検体神経線維束を特定して表示することにある。本実施形態では、腫瘍を患部の一例として説明するが、実際の患部は例えば、外傷（traumatism）、血塊（crassamentum）などの他の場合もある。
【００５３】
第２の実施形態に係る医用画像処理装置２００における抽出部２０１、第一転写部２０２、解析部２０３、第二転写部２０４、表示処理部２０５、指標表示部２０６は第１の実施形態における抽出部１０１、第一転写部１０２、解析部１０３、第二転写部１０４、表示処理部１０５、指標表示部１０６に比べて、追加の機能を発揮するものである。以下、第２の実施形態と第１の実施形態との相違点について主に説明し、重複する説明は適切に省略する。
【００５４】
図７は、第２の実施形態に係る医用画像処理装置の構成を示すブロック図である。
【００５５】
図７に示すように、医用画像処理装置２００は、抽出部２０１と、第一転写部２０２と、解析部２０３と、第二転写部２０４と、表示処理部２０５と、指標表示部２０６とを備える。
【００５６】
抽出部２０１は、被検体データから神経分布の位置情報を抽出するのに加えて、被検体データから患部領域（例えば、腫瘍領域など）の情報を更に抽出する。被検体データには更に、脳画像が含まれる。脳画像は、磁気共鳴イメージング装置、Ｘ線コンピュータ断層撮影装置、Ｘ線診断装置、核医学診断装置などの医用画像診断装置により被検体の脳を撮像したものであってもよい。被検体の脳に腫瘍が存在している場合、この腫瘍が脳画像上に表れる。また、腫瘍がある位置を腫瘍領域と記載する。
【００５７】
第一転写部２０２は、第１の実施形態における第一転写部１０２に比べて、被検体からの線維束画像を予め定義された線維束アトラスへ転写することに加えて、脳画像に含まれる腫瘍領域も線維束アトラスへ更に転写する。ここで、転写された腫瘍領域は、腫瘍内部領域を含むボリュームデータ画像であってもよいし、腫瘍の輪郭が抽出された腫瘍輪郭の三次元画像であってもよい。
【００５８】
具体的には、第一転写部２０２は、まず、画像レジストレーションを行うことで、被検体の線維束画像と線維束アトラスとの転写マトリックスを取得する。その後、この転写マトリックスを用いて、被検体の腫瘍領域も線維束アトラスへ転写することになる。また、第２の実施形態では、第１の実施形態と同じく、第一転写部２０２は被検体データにおける線維束画像を線維束アトラスへ転写しなくてもよい。
【００５９】
解析部２０３は線維束アトラスにおける関心領域と、線維束アトラスにおける線維束と、線維束アトラスへ転写された腫瘍領域との位置関係を解析する。具体的には、解析部２０３は線維束アトラスにおける線維束と、線維束アトラスへ転写された腫瘍領域との位置関係に基づいて、腫瘍領域による影響を受けた線維束を検出し、線維束アトラスに定義されている関心領域と神経領域との対応関係に基づいて、解析結果として、検出した被検体線維束に対応付けられる関心領域を取得する。
【００６０】
第二転写部２０４は、解析部２０３による解析結果を被検体データへ転写する。即ち、検出された腫瘍領域による影響を受けた線維束に対応付けられる関心領域を被検体データへ転写する。
【００６１】
また、第二転写部２０４は、腫瘍領域による影響を受けた全ての線維束を被検体データへ転写するのでなく、関心領域のみを被検体データへ転写する。これは、線維束の全体レジストレーションは難度が高く、全ての線維束を転写する場合に比べて、関心領域のみを転写することにより、レジストレーションの難度を下げることができ、転写するデータ量が少ないので、正確性も効率も一層向上させることができるためである。
【００６２】
表示処理部２０５は、腫瘍領域による影響を受けた被検体線維束を表示する。例えば、まず、解析部２０３が、関心領域と線維束との対応関係に基づいて、被検体データにおいて、被検体データへ転写された関心領域から、腫瘍領域による影響を受けた被検体線維束を検出し、表示処理部２０５は、検出された被検体線維束を表示する。具体的には、解析部２０３は各関心領域及びそれらの間の論理関係に基づいて、転写された関心領域を利用して、被検体データにおいて各関心領域を貫通した被検体線維束を分析することで、影響を受けた各被検体線維束の実際の位置を検出して表示する。
【００６３】
また、解析部２０３は、更に、各機能性線維束に応じる関心領域に基づいて、線維束追跡技術を用いて、被検体データから各機能性線維束を識別し、表示処理部２０５は、識別された機能性線維束を表示することができる。
【００６４】
そして、影響を受けた被検体線維束を表示する方法は多くある。例えば、影響を受けた被検体線維束のみを表示してもよいし、被検体の全ての線維束を表示しながら、影響を受けた被検体線維束を強調してもよい。
【００６５】
以下、第２の実施形態に係る画像処理過程について図８及び図９を参照して説明する。図８は、第２の実施形態に係る画像処理ステップを示すフローチャートである。図９は、第２の実施形態に係る画像処理を示す模式図である。
【００６６】
まず、ステップＳ２０１では、抽出部２０１が被検体データから被検体線維束の位置情報を抽出するのに加えて、腫瘍の位置情報である腫瘍領域をさらに抽出する。図８の左上部で、位置情報が抽出された被検体線維束Ｘ１、被検体線維束Ｘ２及び略楕円状の１つの腫瘍領域Ｃが示されている。
【００６７】
図８では、表示の便宜上、被検体線維束Ｘ１、Ｘ２及び腫瘍領域Ｃが合わせて表示されているが、上述したように、被検体線維束Ｘ１、Ｘ２は被検体データにおける線維束画像から抽出されたものであり、腫瘍領域Ｃは被検体データの脳画像から抽出されたものである。
【００６８】
また、本実施形態では、腫瘍の輪郭を用いて腫瘍領域を表し、腫瘍領域の転写を行うものである。
【００６９】
次に、ステップＳ２０２では、第一転写部２０２が抽出された位置情報に基づく被検体線維束Ｘ１、Ｘ２及び腫瘍領域Ｃを線維束アトラスへ転写する。
【００７０】
転写の前は、図９の右側にある線維束アトラスには、線維束Ｘ１’、Ｘ２’が含まれ、この線維束Ｘ１’に応じる関心領域Ａ及び関心領域Ｂ、並びに、この線維束Ｘ２’に応じる関心領域Ｄ及び関心領域Ｅが更に含まれている。線維束Ｘ１’はより左側の関心領域Ａと関心領域Ｂとの間で連結された３本の神経線維からなり、線維束Ｘ２’はより右側の関心領域Ｄと関心領域Ｅとの間で連結された３本の神経線維からなる。
【００７１】
また、ステップＳ２０２では、レジストレーションによる転写マトリックスを用いて被検体からの被検体線維束Ｘ１、Ｘ２を線維束アトラスへ転写し、腫瘍領域Ｃを線維束アトラスへ転写する。図９において、線維束アトラスに予め定義された線維束Ｘ１’、Ｘ２’、関心領域Ａ、Ｂ、Ｄ、Ｅから区分するように、線維束アトラスへ転写された被検体線維束Ｘ１、Ｘ２及び腫瘍領域Ｃが点線で表されている。
【００７２】
そして、ステップＳ２０３では、解析部２０３が線維束アトラスにおける関心領域Ａ、Ｂ、Ｄ、Ｅ、線維束アトラスにおける線維束Ｘ１’、Ｘ２’及び線維束アトラスへ転写された腫瘍領域Ｃの位置関係を解析する。具体的には、線維束アトラスに含まれた線維束Ｘ１’、Ｘ２’と線維束アトラスへ転写された腫瘍領域Ｃとの位置関係で示すように、線維束Ｘ１’のうちの１本の神経線維が腫瘍領域Ｃに入り込み、線維束Ｘ２’のうちの神経線維が全く腫瘍領域Ｃに入り込んでいないので、腫瘍領域による影響を受けた線維束が線維束Ｘ１’になる。その後、解析部２０３が線維束アトラスに定義された関心領域と神経領域との対応関係（図９では、線維束Ｘ１’と関心領域Ａ、Ｂとの関係は、線維束Ｘ１’が関心領域Ａ、Ｂの間で連結されていることにある）に基づいて、解析結果として、検出された線維束Ｘ１’に対応付けられた関心領域Ａ及び関心領域Ｂを取得する。
【００７３】
また、ステップＳ２０４では、第二転写部２０４が解析部２０３による解析結果を被検体データへ転写する。即ち、図９の左下部で示すように、検出された腫瘍領域による影響を受けた線維束Ｘ１’に対応付けられた関心領域Ａ及び関心領域Ｂが被検体データへ転写される。
【００７４】
更に、ステップＳ２０５では、表示処理部２０５が関心領域Ａ及び関心領域Ｂを含む被検体データを表示する。
【００７５】
具体的には、関心領域Ａ、Ｂと線維束Ｘ１との論理関係が、線維束Ｘ１は関心領域Ａ、Ｂの間で連結されていることにあるので、解析部２０３が転写された関心領域Ａ、Ｂに基づいて、線維束追跡技術を用いて、被検体データから関心領域Ａと関心領域Ｂとを連結した線維束を被検体線維束Ｘ１と分析することで、影響を受けた被検体線維束Ｘ１の実際の位置を検出する。そして、表示処理部２０５は、検出された被検体線維束Ｘ１の実際の位置を表示する。
【００７６】
ここでは、腫瘍領域Ｃによる影響を受けた被検体線維束Ｘ１を強調するように表示することが好ましい。例えば、図９における被検体線維束Ｘ１が太線で表示されることにより、操作者が各線維束の機能区画をより直感的に把握することが可能になる。
【００７７】
本実施形態では、影響を受けた機能性線維束が第二転写部２０４により特定された後、医用画像処理装置２００は、この機能性線維束に対応付けられた各関心領域を被検体データへ転写し、これら関心領域を貫通した線維束を解析部２０３により分析することで、影響を受けた機能性線維束の被検体における実際の位置を知る。
【００７８】
このような構成を用いることにより、腫瘍領域による影響を受けた被検体線維束を表示したい場合、線維束アトラスにおける全体の被検体線維束を被検体データへ転写することなく、それに応じる関心領域だけを被検体データへ転写すればよいので、転写の効率及び精度を向上させることが可能になる。また、被検体データに影響を受けた機能性線維束の被検体における実際の位置を表示させることにより、手術操作などを便利にすることができる。即ち、第２の実施形態に係る医用画像処理装置２００によれば、神経線維束に応じる機能領域の機能性分類を簡便に取得することに加え、影響を受けた線維束を正確に知ることができ、影響を受けた線維束の被検体における実際の位置を正確かつ容易に特定できる。
【００７９】
また、第２の実施形態の一変形例として、ステップＳ２０５では、表示処理部２０５が被検体線維束Ｘ１に対し検出や強調を行うことなく、影響を受けた被検体線維束Ｘ１に応じる関心領域Ａ及び関心領域Ｂを表示するだけでもよい。それにより、操作者が影響を受けた被検体線維束に応じる関心領域を直感的に見ることが可能になり、影響を受けた被検体線維束を大方推定することができ、手術の操作なども便利にすることができる。
【００８０】
また、第２の実施形態における指標表示部２０６は、腫瘍領域による損傷指標を算出して表示する。以下、この点について、図９を用いて説明する。
【００８１】
例えば、第一転写部２０２が、被検体データにおける腫瘍領域を線維束アトラスへ転写した後、解析部２０３は、線維束アトラスにおける関心領域と、線維束アトラスにおける神経領域と、線維束アトラスへ転写された腫瘍領域との位置関係を解析する。例えば、解析部２０３は、まず、図９の右図に示すように、線維束アトラスにおける線維束Ｘ１’や線維束Ｘ２’と、転写された腫瘍領域Ｃとの位置関係を解析して、腫瘍領域Ｃによる影響を受けた線維束Ｘ１’を検出する。次に、解析部２０３は、線維束アトラスに定義されている関心領域と神経領域との対応関係に基づいて、線維束アトラスにおける関心領域Ａ、Ｂ、Ｄ、Ｅのうち、検出した線維束Ｘ１’に対応付けられた関心領域Ａ及び関心領域Ｂを取得する。
【００８２】
次に、解析部２０３は、取得した機能領域に基づいて、腫瘍領域による影響を受けた被検体神経領域を特定する。例えば、第二転写部２０４により関心領域Ａ及び関心領域Ｂが被検体データに転写された後、解析部２０３は、被検体データにおける被検体神経領域のうち、関心領域Ａ及び関心領域Ｂを連結する被検体線維束Ｘ１を検出する。即ち、解析部２０３は、腫瘍領域による影響を受けた線維束Ｘ１’が有する論理関係（関心領域Ａ及びＢを連結する）と同様の論理関係を有する被検体線維束Ｘ１を検出する。
【００８３】
そして、指標表示部２０６は、解析部２０３が検出した被検体神経領域と、患部領域による影響を受けた神経領域とを比較することで、損傷指標を算出する。例えば、指標表示部２０６は、解析部２０３が検出した被検体線維束Ｘ１と、腫瘍領域Ｃによる影響を受けた線維束Ｘ１’とを比較することで、損傷指標として、被検体神経領域の統計情報を算出する。なお、以下では、図９に示す腫瘍領域Ｃに、腫瘍及び腫瘍周囲の腫瘍浸潤領域が含まれる場合について説明する。
【００８４】
例えば、指標表示部２０６が算出する統計情報としては、神経領域の押出率（Extrusion  Rate）、貫通率（Penetrating  Rate）、浸潤率（Infiltration  Rate）、破壊率（Damage  Rate）、使用率等が挙げられる。例えば、指標表示部２０６が算出する統計情報は、神経領域の押出率、貫通率、浸潤率、破壊率及び使用率の少なくとも１つである。
【００８５】
押出率は、関心領域に関する機能性線維束のうち押出線維束が占める比率を表す。一例を挙げると、図９において、３本の線維束Ｘ１’のうち１本の神経線維が腫瘍領域Ｃを貫通している。一方で、被検体線維束Ｘ１は腫瘍領域Ｃを貫通しないものとなっており、被検体線維束Ｘ１のうち１本の神経線維が腫瘍領域Ｃにより押出されて左へ変位したものといえる。従って、指標表示部２０６は、被検体神経領域の統計情報として、押出率「３３％（１／３）」を算出することができる。
【００８６】
貫通率は、関心領域に関する機能性線維束のうち貫通線維束が占める比率を表す。一例を挙げると、図９において、貫通線維束（被検体線維束Ｘ１のうち、腫瘍浸潤領域及び腫瘍を貫通した神経線維）はないから、指標表示部２０６は、被検体神経領域の統計情報として、貫通率「０％（０／３）」を算出することができる。
【００８７】
浸潤率は、関心領域に関する機能性線維束のうち浸潤線維束が占める比率を表す。一例を挙げると、図９において、浸潤線維束（被検体線維束Ｘ１のうち、腫瘍浸潤領域を貫通し、かつ、腫瘍を貫通していない神経線維）はないから、指標表示部２０６は、被検体神経領域の統計情報として、浸潤率「０％（０／３）」を算出することができる。
【００８８】
破壊率は、関心領域に関する機能性線維束のうち手術により破壊される機能性線維束が占める比率を表す。一例を挙げると、図９においては、腫瘍のみを切除するか、腫瘍及び腫瘍浸潤領域を切除するかに関わらず、腫瘍領域Ｃを切除しても、被検体線維束Ｘ１における神経線維は破壊されないから、指標表示部２０６は、被検体神経領域の統計情報として、破壊率「０％（０／３）」を算出することができる。
【００８９】
また、一例を挙げると、図９において、線維束アトラスにおける線維束Ｘ１’は３本の神経線維からなり、手術の前に使用可能な被検体線維束Ｘ１も３本の神経線維からなるため、指標表示部２０６は、被検体神経領域の統計情報として、使用率「１００％（３／３）」を算出することができる。
【００９０】
（第３の実施形態）
第二転写部２０４により関心領域が被検体データへ転写された後、各関心領域の論理関係に該当する線維束が見付からない場合がある。例えば、図１０においては、腫瘍領域が線維束を変位させ、被検体データへ転写された関心領域Ｂが腫瘍領域Ｅの内部にある。この場合、線維束Ｘ１が腫瘍領域Ｅによって押出され、腫瘍領域Ｅにおける関心領域Ｂを貫通した線維束がないことが見て取れる。しかし、機能性線維束は関心領域Ａ、Ｂ、Ｃに基づき合わせて特定する必要がある。つまり、腫瘍領域Ｅの外部に位置する関心領域Ａ、Ｃだけでは、影響を受けた機能性線維束を一義的に特定することができない。
【００９１】
第３の実施形態は第２の実施形態の変形例である。第３の実施形態における医用画像処理装置は第２の実施形態における医用画像処理装置と同じく、抽出部２０１と、第一転写部２０２と、解析部２０３と、第二転写部２０４と、表示処理部２０５と、指標表示部２０６とを備える。以下、第３の実施形態と第２の実施形態との相違点について主に説明し、重複する説明は適切に省略する。
【００９２】
第２の実施形態に対する第３の実施形態の相違点は、解析部２０３が更に被検体データにおける腫瘍領域の内部に関心領域があるか否かを判断し、判断結果に基づいて、異なる処理により影響を受けた機能性線維束の実際の位置を分析することにある。
【００９３】
腫瘍領域の内部に関心領域がない場合、第２の実施形態におけるステップＳ２０５と同じ処理により、影響を受けた被検体線維束の実際の位置を検出して表示することができ、これについては贅言しない。
【００９４】
以下、腫瘍領域の内部に関心領域がある場合について図１０を参照して説明する。ここでは、図１０は、腫瘍領域が線維束を押出した場合に、被検体データと線維束アトラスとの間での関心領域の往復転写を利用して、影響を受けた機能性線維束を特定する模式図である。図１０の例では、説明の便宜上、線維束ごとに、１本の神経線維のみが含まれ、且つ線維束と関心領域との間はいずれも「ＡＮＤ」の論理関係である。
【００９５】
図１０に示すように、腫瘍領域Ｅの内部に関心領域Ｂがある場合、関心領域Ｂを内部関心領域（内部機能領域）における唯一の関心領域とし、関心領域Ａ及び関心領域Ｃを外部関心領域（外部機能領域）とする。まず、被検体データにおいて、関心領域Ａと関心領域Ｃとからなる外部関心領域を用いて、外部関心領域を貫通し、かつ、関心領域Ａと関心領域Ｃとの論理関係（本実施形態では、論理関係はいずれも「ＡＮＤ」である）に該当する全ての線維束を第１の線維束（第１の神経領域）として決定する。図１０で示されている第１の線維束には、２本の線維束が含まれ、それぞれ被検体線維束Ｘ１及び被検体線維束Ｘ２である。そのうち、被検体線維束Ｘ１は腫瘍領域Ｅによって押出された線維束である。次に、図１０に示すように、線維束アトラスにおいて、外部関心領域を貫通し、かつ、内部関心領域（関心領域Ｂ）を貫通していない機能性線維束を第２の線維束（第２の神経領域）として特定する。図１０で示されている線維束アトラスにおいて、条件に該当する第２の線維束は１本の線維束、即ち、線維束Ｘ２’がある。最後に、第１の線維束から第２の線維束を引いて、影響を受けた機能性線維束を得る（図１０で示されている影響を受けた機能性線維束は１本である）。即ち、第１の線維束（被検体線維束Ｘ１、被検体線維束Ｘ２）から、第２の線維束（線維束Ｘ２’）に相当する線維束（被検体線維束Ｘ２）を除くことで、影響を受けた線維束（被検体線維束Ｘ１）を検出することができる。
【００９６】
実際に、図１０における線維束Ｘ２’は関心領域Ａ及び関心領域Ｃを貫通しただけでなく、更に関心領域Ｄに連結されている。言い換えれば、関心領域Ａ、Ｃ、Ｄこそがこの線維束Ｘ２’を一義的に特定するための各関心領域である。そのため、第２の線維束における線維束Ｘ２’を被検体データへ転写する際に、関心領域Ａ、Ｃ、Ｄを被検体データに再度転写する必要がある。それにより、被検体データから、関心領域Ａ、Ｃ、Ｄを貫通し、かつ、関心領域Ａ、Ｃ、Ｄ間の論理関係に該当する被検体線維束（即ち、図１０で示されている被検体線維束Ｘ２）を求める。
【００９７】
図１０は一例に過ぎず、被検体データにおける内部又は外部関心領域の数、及び線維束アトラスにおいて外部関心領域を貫通した機能性線維束の数によって、影響を受けた機能性線維束を特定する方法は異なる。しかし、本実施形態の要旨に適う変形であれば、本実施形態に含まれる。
【００９８】
以下、第３の実施形態に係る画像処理ステップを示すフローチャートである図１１を参照して説明する。図１１における流れは、第２の実施形態におけるステップＳ２０４のサブ処理である。
【００９９】
図１０で示されている状況を例に、処理過程における必要なステップを説明する。
【０１００】
ステップＳ３０１では、解析部２０３が被検体データにおいて関心領域が腫瘍領域内にあるか否かを判断する。関心領域が腫瘍領域内にはないと判断すると、解析部２０３は、各関心領域を貫通し、かつ、各関心領域間の論理関係に該当する線維束を、影響を受けた機能性線維束として検出し、表示処理部２０５に表示させる（ステップＳ３０２）。
【０１０１】
解析部２０３は、関心領域が腫瘍領域Ｅ内にあると判断すると、被検体データにおいて外部関心領域における各関心領域を貫通した線維束を第１の線維束として検出する（ステップＳ３０３）。言い換えれば、関心領域が腫瘍領域内にあると判断すると、解析部２０３は、被検体データにおいて腫瘍領域以外の各関心領域を貫通した線維束を第１の線維束として検出する（ステップＳ３０３）。
【０１０２】
次に、ステップＳ３０４では、解析部２０３が線維束アトラスから外部関心領域における各関心領域を貫通し、かつ、内部関心領域における各関心領域を貫通していない機能性線維束を第２の線維束として検出し、第２の線維束における各線維束について、各線維束を一義的に認識するための関心領域を特定する。
【０１０３】
ステップＳ３０５では、第二転写部２０４がステップＳ３０４で特定された各関心領域を線維束アトラスから被検体データへ転写する。
【０１０４】
ステップＳ３０６では、解析部２０３が被検体データにおいて、転写された各関心領域を貫通し、かつ、各関心領域間の論理関係に該当する線維束を被検体データにおける第２の線維束として求める。
【０１０５】
ステップＳ３０７では、解析部２０３が第１の線維束から第２の線維束を引いて影響を受けた機能性線維束を得る。
【０１０６】
第３の実施形態に係る医用画像処理装置によれば、腫瘍領域Ｅが線維束を変位させ、かつ、線維束アトラスから被検体データへ転写された関心領域が腫瘍領域Ｅ内にある場合でも、影響を受けた機能性線維束の実際の位置を正確に把握して表示することができる。
【０１０７】
また、第３の実施形態における指標表示部２０６は、腫瘍領域による損傷指標を算出して表示する。例えば、指標表示部２０６は、被検体データにおける影響を受けた機能性線維束と、線維束アトラスにおける影響を受けた機能性線維束とを比較することで、損傷指標として、被検体神経領域の統計情報を算出する。ここで、指標表示部２０６が算出する統計情報としては、例えば、押出率、貫通率、浸潤率、破壊率、使用率等が挙げられる。
【０１０８】
（第４の実施形態）
第４の実施形態は第２の実施形態の変形例である。
【０１０９】
図１２は、第４の実施形態に係る医用画像処理装置の構成を示すブロック図である。第１の実施形態に対する第４の実施形態の相違点は、第一転写部３０２、解析部３０３、第二転写部３０４、表示処理部３０５、指標表示部３０６が、第１の実施形態における第一転写部１０２、解析部１０３、第二転写部１０４、表示処理部１０５、指標表示部１０６に比べて、追加の機能を発揮することにある。以下、第４の実施形態と第２の実施形態との相違点について主に説明し、重複する説明は適切に省略する。また、本実施形態における腫瘍領域には、図１３における腫瘍及び腫瘍周囲の腫瘍浸潤領域が含まれる。
【０１１０】
抽出部３０１は、被検体データから神経分布の位置情報及び腫瘍領域の情報を抽出するのに加えて、被検体から取得した被検体の各関心領域を表す被検体関心領域データを更に抽出する。例えば、血液酸素レベル依存機能の磁気共鳴イメージングにより被検体の機能領域の画像を取得することで、この画像における被検体機能領域（即ち、被検体関心領域）のデータを抽出する。
【０１１１】
第一転写部３０２は、抽出部３０１により抽出された被検体関心領域を予め定義された線維束アトラスへ転写する。図１３では、被検体関心領域データを予め定義された線維束アトラスへ転写する一例が示されている。説明の便宜上、図１３における線維束アトラスには、２つの関心領域（即ち、関心領域Ａ及び関心領域Ｂ）のみが示されており、且つ、予め定義された関心領域Ａ及び関心領域Ｂの正常形態が略楕円の状態として仮定されている。図１３では更に、線維束アトラスへ転写された２つの被検体関心領域（即ち、被検体関心領域Ｃ及び被検体関心領域Ｄ）が示されている。脳腫瘍が発生した場合、腫瘍の影響により、機能性線維束に押出、貫通、浸潤などの現象が発生するだけではなく、脳機能領域（関心領域）も対応して一部消える（小さくなる）か、延いては、全部消えることもある。図１３における被検体データに示すように、被検体関心領域Ｃ及び被検体関心領域Ｄでは、関心領域Ａ及び関心領域Ｂが腫瘍の影響を受けて一部消えた場合が示されており、被検体関心領域Ｃ及び被検体関心領域Ｄが元々の略楕円形状から不規則な形状に小さくなっている。
【０１１２】
解析部３０３は、線維束アトラスにおける線維束と線維束アトラスへ転写された腫瘍領域との位置関係に基づいて、腫瘍領域による影響を受けた線維束を検出した後、線維束アトラスに定義された関心領域と線維束との対応関係に基づいて、解析結果として、検出された線維束に対応付けられた関心領域を取得する。図１３に示す例の中で、検出された腫瘍領域による影響を受けた線維束は線維束Ｘ１’〜線維束Ｘ１０’であり、線維束Ｘ１’〜線維束Ｘ１０’に対応付けられた関心領域は関心領域Ａ及び関心領域Ｂである。
【０１１３】
指標表示部３０６は、腫瘍領域による影響を受けた関心領域について、線維束アトラスへ転写された被検体関心領域（即ち、実際の関心領域）及び線維束アトラスに予め定義された関心領域（即ち、正常形態での関心領域）を比較して、一致していない関心領域を腫瘍領域による影響を受けた関心領域として検出する。
【０１１４】
また、指標表示部３０６は更に、比較結果に基づいて腫瘍領域による損傷指標を算出して表示することもできる。この場合、腫瘍領域による損傷指標は被検体関心領域のアトラスデータにおける関心領域に対する減少率である。
【０１１５】
そして、第二転写部３０４は、腫瘍領域による影響を受けた関心領域に応じる線維束アトラスにおける関心領域を被検体データへ転写する。図１３の左下部では、関心領域Ａ及び関心領域Ｂを被検体データへ転写した後の状態が示されており、図中の２つの点線楕円はそれぞれ予め定義された関心領域Ａ及び関心領域Ｂの輪郭を表している。
【０１１６】
指標表示部３０６は被検体データにおいて、腫瘍領域による影響を受けた関心領域から被検体線維束を検出（追跡）し、検出された被検体データにおける被検体線維束とアトラスデータにおける腫瘍領域による影響を受けた線維束とを比較することで、腫瘍領域による損傷指標を算出する。
【０１１７】
図１３に示す例の中では、腫瘍領域の位置及び被検体データへ転写された予め定義された関心領域Ａ及び関心領域Ｂに基づき、関心領域Ａ及び関心領域Ｂに応じる被検体線維束が追跡される。図１３における被検体データには、関心領域Ａと関心領域Ｂとの間で連結された１０個の線維束が示されており、図中の左から順に線維束Ｘ１〜線維束Ｘ１０になる。
【０１１８】
図１３における各線維束と腫瘍との位置関係に応じて、線維束Ｘ１〜線維束Ｘ１０は遮断線維束、浸潤線維束、貫通線維束、無影響線維束等の複数種類に分けられる。遮断線維束は腫瘍によって遮断された線維束であり、図１３における線維束Ｘ５、線維束Ｘ６及び線維束Ｘ７は遮断線維束である。浸潤線維束は腫瘍周囲にある腫瘍浸潤領域を貫通したが腫瘍を貫通していない線維束であり、図１３における線維束Ｘ２、線維束Ｘ３、線維束Ｘ４及び線維束Ｘ９は浸潤線維束である。貫通線維束は腫瘍周囲にある腫瘍浸潤領域を貫通し、かつ、腫瘍を貫通した線維束であり、図１３における線維束Ｘ８は貫通線維束である。無影響線維束は腫瘍浸潤領域を貫通していない線維束であり、図１３における線維束Ｘ１及び線維束Ｘ１０は無影響線維束である。また、図１３におけるアトラスデータ中の線維束Ｘ４’と比較して分かるように、図１３における被検体データ中の線維束Ｘ４が腫瘍位置による影響を受けて左へ変位し、このように変位した線維束は押出線維束と言う。
【０１１９】
追跡された各線維束及び患部の位置に基づいて、機能性線維束の損傷指標を得ることができる。損傷指標は例えば、関心領域に関する機能性線維束の統計情報で表し、統計情報としては、例えば、押出率、貫通率、浸潤率、破壊率及び使用率の少なくとも１つが挙げられる。
【０１２０】
押出率は、関心領域に関する機能性線維束のうち押出線維束が占める比率を表す。貫通率は、関心領域に関する機能性線維束のうち貫通線維束が占める比率を表す。浸潤率は、関心領域に関する機能性線維束のうち浸潤線維束が占める比率を表す。破壊率は、関心領域に関する機能性線維束のうち手術により破壊された機能性線維束が占める比率を表す。破壊率は手術の方式によって異なり、例えば、“腫瘍のみを切除した場合”及び“腫瘍及び腫瘍浸潤領域を切除した場合”に得られる破壊率は通常異なるものである。使用率は、関心領域に関する機能性線維束のうち手術の前に使用可能な機能性線維束が占める比率を表す。
【０１２１】
表１に、図１３における各被検体線維束の統計情報を示す。例えば、指標表示部３０６は、表１に示す各統計情報を算出して表示する。
【０１２２】
【表１】
2018069022.tif 000003
【０１２３】
第４の実施形態に係る画像処理ステップの流れについて、図１４を参照して説明する。
【０１２４】
先ず、ステップＳ４０１では、神経分布の位置情報及び腫瘍領域の情報に加えて、被検体から取得した被検体の各関心領域を表す被検体関心領域データが抽出される。
【０１２５】
ステップＳ４０２では、第一転写部３０２が線維束画像及び患部画像を予め定義された線維束アトラスへそれぞれ転写するのに加えて、更に転写マトリックスを利用して抽出部３０１により抽出された被検体関心領域データを予め定義された線維束アトラスへ転写する。
【０１２６】
ステップＳ４０３では、解析部３０３が腫瘍の位置に基づいて、腫瘍領域による影響を受けた線維束が連結される関心領域を特定する。
【０１２７】
ステップＳ４０４では、指標表示部３０６がステップＳ４０３で特定された関心領域について、線維束アトラスへ転写された被検体の関心領域（即ち、実際の関心領域）と線維束アトラスに予め定義された関心領域（即ち、正常形態での関心領域）とを比較して、一致していない関心領域を腫瘍領域による影響を受けた関心領域として検出する。
【０１２８】
ステップＳ４０５では、第二転写部３０４が腫瘍領域による影響を受けた関心領域に応じる線維束アトラスにおける関心領域を被検体データへ転写する。
【０１２９】
ステップＳ４０６では、指標表示部３０６が被検体データにおいて、腫瘍領域による影響を受けた関心領域から被検体線維束を検出（追跡）し、検出された被検体データにおける被検体線維束とアトラスデータにおける腫瘍領域による影響を受けた線維束とを比較することで、腫瘍領域による損傷指標を算出して表示する。腫瘍領域による損傷指標は被検体線維束の統計情報で表し、統計情報は、神経領域の押出率、貫通率、浸潤率、破壊率及び使用率の少なくとも１つとする。
【０１３０】
ステップＳ４０７では、表示処理部３０５が更に、転写後の被検体データを表示してもよい。
【０１３１】
図１５は、指標表示部３０６及び表示処理部３０５が何れも表示した画面の模式図である。
【０１３２】
また、本実施形態の一変形例として、ステップＳ４０４では更に、被検体関心領域のアトラスデータにおける関心領域に対する減少率を算出して、腫瘍領域による損傷指標として表示してもよい。この場合、ステップＳ４０６を省略して被検体線維束の統計情報を算出しなくてもよい。
【０１３３】
本実施形態において、医用画像処理装置３００は予め定義された正常形態での関心領域を被検体データへ転写することにより、被検体データから機能性線維束を追跡して、機能性線維束の損傷程度を直感的に判断することができる。このような構成を用いることにより、被検体の脳機能領域が一部消えたか、又は全部消えたため、被検体データにおいて関心領域に応じる被検体線維束が正確に追跡できないという問題を避けることが可能である。それは、関心領域が小さくなると、この関心領域にて追跡した繊維束の数が実際に追跡すべき数よりも小さくなる可能性があるためである。
【０１３４】
また、予め定義された正常形態での関心領域及び腫瘍の位置に基づいて、機能性線維束を遮断線維束、浸潤線維束、貫通線維束、無影響線維束等の種類に分け、かつ、被検体の各機能性線維束の実際の位置と腫瘍位置との関係に基づいて、関心領域に関する機能性線維束の統計情報（例えば、押出率、貫通率、浸潤率、破壊率及び使用率の少なくとも１つ）により機能性線維束の損傷程度を直感的に表示することが可能になる。
【０１３５】
実施形態の医用画像処理装置は、各実施形態に説明された機能を実現できる回路として、医用装置に組み込まれてもよいし、コンピュータが実行可能なプログラムとして、磁気ディスク（フロッピーディスク（登録商標：ｆｌｏｐｐｙ）、ハードディスクなど）、コンパクトディスク（ＣＤ−ＲＯＭ、ＤＶＤなど）、光ディスク（ＭＯ）、半導体メモリなどの記憶媒体に記憶され発行されてもよい。
【０１３６】
かつ、記憶媒体からコンピュータにインストールされたプログラムによる指示に基づいてコンピュータ上に実行されるＯＳ（オペレーティングシステム）、データベース管理ソフトウェア、ネットワークソフトウェアなどのＭＷ（ミドルワーク）なども、上述した実施形態を実現するための各処理の一部を実行することができる。
【０１３７】
以上説明した少なくとも１つの実施形態によれば、神経線維束に応じる機能領域の機能性分類を簡便に取得することができる。
【０１３８】
本発明のいくつかの実施形態を説明したが、これらの実施形態は、例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１３９】
１００  医用画像処理装置
１０１  抽出部
１０２  第一転写部
１０３  解析部
１０４  第二転写部
１０５  表示処理部
１０６  指標表示部
【図１】
2018069022.tif 000004
【図２】
2018069022.tif 000005
【図３】
2018069022.tif 000006
【図４】
2018069022.tif 000007
【図５】
2018069022.tif 000008
【図６】
2018069022.tif 000009
【図７】
2018069022.tif 000010
【図８】
2018069022.tif 000011
【図９】
2018069022.tif 000012
【図１０】
2018069022.tif 000013
【図１１】
2018069022.tif 000014
【図１２】
2018069022.tif 000015
【図１３】
2018069022.tif 000016
【図１４】
2018069022.tif 000017
【図１５】
2018069022.tif 000018